(57)【特許請求の範囲】
【請求項１】
ケーシング内に所定の間隔を有して吊り下げられる多数の放電枠と、一対の無端チェーンに懸垂された複数枚の集塵極板によって全体としてループを形成し、前記集塵極板が前記放電枠を一個置きに周回する多数の移動電極を備え、隣接する複数の移動電極を共通の駆動機構によって駆動させる移動電極式電気集塵装置において、前記駆動機構はチェーン伝動によって隣接する移動電極に駆動力を伝動させるものであり、任意の移動電極を前記共通の駆動機構による駆動から切り離す時には当該移動電極の駆動軸に設けられた前記チェーン伝動用のスプロケットを空転させるようにしたことを特徴とする移動電極式電気集塵装置。
【請求項２】
前記隣接する複数の移動電極の集塵極板が互いに位相差を有して移動することを特徴とする請求項１に記載の移動電極式電気集塵装置。
【発明の詳細な説明】
【０００１】
【発明の属する技術分野】
本発明は移動電極式電気集塵装置に係り、特にケーシング内に所定の間隔を有して吊り下げられる多数の放電枠と、これらの放電枠を一個置きに周回する多数の移動電極とを備えた移動電極式電気集塵装置に関する。
【０００２】
【従来の技術】
この種の移動電極式電気集塵装置は、例えば火力発電所のボイラー排ガスや製鉄用各種炉の排ガス中のダストを除去するための電気集塵装置として知られている。その概略構造を図６〜図９に基づいて説明する。
【０００３】
図６において、移動電極式電気集塵装置１０はケーシング１２と、このケーシング１２の下部のホッパー１３と、ケーシング１２内に配設された多数の放電枠１４及び多数の移動電極１５とによって構成されており、入口煙道１６からケーシング１２内に導入された排ガス１７は、電気集塵の原理によって除塵され、出口煙道１８から排出される。捕集されたダストはホッパー１３内に落下し、図示されない機構によって、排出口２０から取り出す。
【０００４】
図７は図６のＡ−Ａ矢視図であり、ケーシング１２内には所定の間隔を有して多数の放電枠１４が図６に示した碍子２２から垂れ下げた吊り枠２４を介して吊り下げられている。また、この放電枠１４を一個置きに周回する多数の移動電極１５が配設されている。
【０００５】
図８は移動電極１５の構造を示す斜視図であり、上部の駆動ホイール２６と下部ローラー２８との間には一対の無端チェーン３０、３０が張り渡されており、この一対の無端チェーン３０、３０に複数枚の集塵極板３２がその幅方向の中間部３３の位置で係止されることによって懸垂されており、全体としてループを形成している。駆動ホイール２６の軸３４は図示されない駆動機構によって回転し、この軸３４の回転が駆動ホイール２６と噛み合う一対の無端チェーン３０、３０に伝達されて、前記ループを形成する複数枚の集塵極板３２が前記放電枠１４を一個置きに周回移動する。
【０００６】
図９は移動電極１５下部の配置図であり、無端チェーン３０に懸垂されて下降した集塵極板３２は下部ローラー２８の位置でＵターンし、上昇に転じる。この上昇直後の集塵極板３２を挟む位置に一対の回転ブラシ３６、３８（以下、この一対の回転ブラシを併せてブラシ手段と称し、符号４０で表わす。）が移動電極１５の各レーン毎に配置されている。ブラシ３６、３８は回転軸に金属製の刷毛を植毛したものであり、集塵極板３２の表面に付着したダストを下方に払い落とすように、ブラシ３６は時計廻りに、ブラシ３８は反時計廻りに回転する。ブラシ手段４０よって表面に付着したダストが除去された集塵極板３２は順次上昇し、放電枠１４からの放電領域で電気集塵の原理により排ガス中のダストをその表面に捕集して、再び下降してくる。
【０００７】
【発明が解決しようとする課題】
ところで、前記移動電極１５は比較的大規模な装置の場合、前記移動電極１５の数は５０〜１００レーンとなり、これらの移動電極１５を駆動する駆動装置が同じ数必要となり、これらの駆動機構の設置費が多大になるという問題点があった。
【０００８】
上記の問題点を改善するために、隣接する複数の移動電極を共通の駆動機構によって駆動可能にし、駆動機構の設置費を低減することが考えられる。しかしながら、この種の移動電極式電気集塵装置ではダストを取扱う過酷な条件で移動電極が駆動するため、各所の摺動部では付着したダストによる摩耗が激しい。また、腐食性の排ガスによる腐食や高電圧の荷電に基づく火花放電によって各種部材が腐食や損耗を受ける機会も多い。このため、１つの移動電極がダストによる摩耗等によって駆動不可能になると、全体の駆動機構を停止しなければならない事態となり、残りの正常な移動電極の駆動が犠牲になるという問題点が生じる。
【０００９】
本発明の目的は前記従来技術の問題点を改善して、隣接する複数の移動電極の内、一部の移動電極が駆動不可能になった場合においても共通の駆動機構を停止させることなく、残りの正常な移動電極を引き続き駆動させることができる移動電極式電気集塵装置を提供することにある。
【００１０】
【課題を解決するための手段】
前記の目的を達成するために、本発明はケーシング内に所定の間隔を有して吊り下げられる多数の放電枠と、一対の無端チェーンに懸垂された複数枚の集塵極板によって全体としてループを形成し、前記集塵極板が前記放電枠を一個置きに周回する多数の移動電極とを備え、隣接する複数の移動電極を共通の駆動機構によって駆動させる移動電極式電気集塵装置において、任意の移動電極を前記共通の駆動機構による駆動から切り離し可能にしたことを特徴とする。
【００１１】
すなわち、本発明は前記駆動機構がチェーン伝動によって隣接する移動電極に駆動力を伝動させるものであり、任意の移動電極を前記共通の駆動機構による駆動から切り離す時には当該移動電極の駆動軸に設けられた前記チェーン伝動用のスプロケットを空転させるようにしたことを特徴とする。
【００１２】
また、本発明は前記共通の駆動機構によって駆動される隣接する複数の移動電極の集塵極板が互いに位相差を有して移動することを特徴とする
【００１３】
【発明の実施の形態】
図１は本発明の実施の形態に係る移動電極の駆動機構を示す斜視図である。移動電極式電気集塵装置としての全体構成は前記従来の技術の項で説明したものと同様であり、前記と同一の符号を付したものは同一の要素を意味する。
【００１４】
図１において移動電極１５Ａ，１５Ｂ，１５Ｃ、１５Ｄが並列している。各移動電極では無端チェーン３０に懸垂されて集塵極板（図示を省略）がそれぞれ駆動ホイール２６Ａ，２６Ｂ，２６Ｃ，２６Ｄの位置でＵターンし、上昇から下降に転じる。各駆動ホイールの駆動軸３４Ａ，３４Ｂ，３４Ｃ，３４Ｄは図示されないケーシングの位置で軸支され、一端側はケーシング外に突出し、その端部にはそれぞれ駆動用のスプロケット４２Ａ，４２Ｂ，４２Ｃ，４２Ｄが設けられている。
【００１５】
これらの駆動用のスプロケット４２は図２に示したように、内側のスプロケットホイール４４と外側のスプロケットホイール４６とを一体にした構造とされ、駆動軸３４の端部にカラー４８と押えフランジ５０に挟まれて配置される。通常は外側のスプロケットホイール４６と押えフランジ５０を押えボルト５２によって締め付けて用いられる。また、押えフランジ５０はキー５４によって駆動軸３４と一体化している。このため、スプロケット４２と駆動軸３４は押えフランジ５０を介して一体的に回転する。一方、前記押えボルト５２を取り外して外側のスプロケットホイール４６と押えフランジ５０とを切り離すと、スプロケット４２はオイレスメタル５６を介して駆動軸３４に対し空転するようにされている。
【００１６】
ケーシング外には共通の駆動源５８が配置され、この駆動源５８による回転力がスプロケット６０とチェーン６２を介して、スプロケット４２Ｂと４２Ｃに伝動する。この結果、スプロケット４２Ｂ，４２Ｃと一体の駆動軸３４Ｂ，３４Ｃがそれぞれ回転し、移動電極１５Ｂ，１５Ｃが駆動される。さらに、スプロケット４２Ｂの回転がチェーン６４を介してスプロケット４２Ａに伝動し、スプロケット４２Ａと一体の駆動軸３４Ａが回転することによって移動電極１５Ａが駆動される。同様に、スプロケット４２Ａの回転がチェーン６６を介して図示されない隣接の移動電極のスプロケットに伝動し、隣接の移動電極が駆動される。移動電極１５Ｄ及びこの移動電極１５Ｄに隣接する図示されない移動電極についても上記と同様のチェーン伝動によって駆動される。
【００１７】
この結果、隣接する複数の移動電極１５を共通の駆動源５８によって駆動させることができる。本実施の形態では駆動源５８を中央に配し、左右に各３レーンづつ、合計６レーンの移動電極１５をこの共通の駆動源５８によって駆動させる。同様の構造を他の移動電極にも適用することによって、移動電極の数が６０レーンの移動電極式電気集塵装置においては、１０台の駆動源によって全数の移動電極を駆動させることができ、駆動装置の簡略化に大きく寄与する。
【００１８】
一方、隣接する複数の移動電極を共通の駆動源によって駆動させる場合、１つの移動電極が駆動不可能になると、全体の駆動機構を停止しなければならない事態が生じる。本実施の形態では、複数の移動電極の内、任意の移動電極が駆動不可能になると、当該移動電極を共通の駆動機構による駆動から切り離すことによって対処できる。すなわち、当該移動電極１５の駆動軸３４に対してチェーン伝動用のスプロケット４２を空転させるようにする。具体的には、図２に示したようにスプロケット４２と押えフランジ５０とを締付けている押えボルト５２を取り外す。押えボルト５２を取り外すことによって、スプロケット４２と押えフランジ５０が切り離され、スプロケット４２が回転しても駆動軸３４は回転しない。このため、共通の駆動機構に備えた複数のスプロケット４２のすべてを回転させつつ、駆動不可能な任意の移動電極の回転軸３４を共通の駆動機構から切り離すことができる。
【００１９】
したがって、移動電極の１つが不測の事態で駆動不可能になると、上記のように当該移動電極を共通の駆動機構から切り離すことによって、残りの正常な移動電極を引き続き駆動させることができる。このため、例えば火力発電プラントの排ガス処理用に移動電極式電気集塵装置を稼動させる場合に、６０レーンの移動電極の１レーンが駆動不可能になっても、移動電極式電気集塵装置の全体、ひいては火力発電プラントの全体を停止させる事態を回避することができる。当該駆動不可能な移動電極については、火力発電プラントの定期的又は臨時的な補修の機会に復旧すればよい。
【００２０】
本実施の形態では上記の特徴に加えて、前記隣接する複数の各移動電極の集塵極板が他の移動電極の集塵極板と位相差を有して駆動される。すなわち、図３において移動電極１５Ａの集塵極板３２Ａの位相を基準にすると、移動電極１５Ｂの集塵極板３２Ｂは３０°遅れの位相差を有して駆動され、移動電極１５Ｃの集塵極板３２Ｃは６０°遅れの位相差を有して駆動される。以下、同様に共通の駆動源６２によって駆動される６レーンの移動電極１５の集塵極板３２が０°，３０°，６０°，９０°，１２０°，１５０°の順に３０°毎に位相差を有して駆動される。
【００２１】
上記のように集塵極板３２の駆動に位相差を設ける理由は、集塵極板３２の外形が密接に関連する。すなわち、図４に示すように、集塵極板３２は主に軽量化の目的と強度上の観点から薄い鋼板７２の周囲を、比較的厚みのある縦枠７４と横枠７６で補強する構造とされる。
【００２２】
このため、図５に示すように定位置に配置された一対のブラシ３６、３８の間を集塵極板３２が通り抜ける際に、（イ）に示した薄い鋼板７２の部分ではブラシの刷毛７８の変形が比較的少なく、鋼板７２に対するブラシの押圧力が小さいので鋼板７２がこのブラシ手段４０を通過する時の通過抵抗が小さい。一方、（ロ）に示した横枠７６の部分ではブラシの刷毛７８の変形が大きくなり、横枠７６に対するブラシの押圧力が大きいので横枠７６がこのブラシ手段４０を通過する時の通過抵抗が大きくなる。一試算例では横枠７６がこのブラシ手段４０を通過する時の通過抵抗は、鋼板７２の場合に比べて約３倍となる。
【００２３】
したがって、仮に図９に示したような隣接する複数の移動電極１５の集塵極板３２が相互に位相差がない状態で、複数の移動電極１５を共通の駆動源５８によって駆動させた場合、複数の集塵極板３２の横枠７６がこのブラシ手段４０を同時に通過することになり、この時の共通の駆動源や伝動機構に対する負荷が大きくなる。このため、共通の駆動源や伝動機構を一時的な大きな負荷に耐え得るように設備しなければならず、設備費の増大を招く。
【００２４】
一方、本実施の形態では図３に示したように隣接する複数の移動電極１５の集塵極板３２が相互に位相差を有している。したがって、複数の移動電極１５を共通の駆動源によって駆動させた際、複数の集塵極板３２の横枠７６がこのブラシ手段４０を同時に通過することが少なくなり、共通の駆動源や伝動機構に対する負荷が平均化する。このため、共通の駆動源や伝動機構の容量や強度を小さくでき、設備費を節減できる。
【００２５】
【発明の効果】
本発明に係る移動電極式電気集塵装置よれば、共通の駆動機構によって駆動される隣接する複数の移動電極の内、一部の移動電極が駆動不可能になった場合においても共通の駆動機構を停止させることなく、残りの正常な移動電極を引き続き駆動させることができる。
【図面の簡単な説明】
【図１】本発明の実施の形態に係る移動電極の駆動機構を示す斜視図である。
【図２】 本発明の実施の形態に係る移動電極の駆動軸の端部構造を示す断面図である。
【図３】本発明の実施の形態に係る移動電極の下部の配置図である。
【図４】本発明の実施の形態に係る集塵電極の構造を示す斜視図である。
【図５】本発明の実施の形態に係るブラシ手段の作動状況を示す説明図である。
【図６】移動電極式電気集塵装置の一般的な構成を示す側断面図である。
【図７】図６のＡ−Ａ矢視図である。
【図８】移動電極の一般的な構造を示す斜視図である。
【図９】移動電極の一般的な下部の配置図である。
【符号の説明】
１２……ケーシング
１４……放電枠
１５……移動電極
２６……駆動ホイール
３０……無端チェーン
３２……集塵極板
３４……駆動軸
４２……スプロケット
５２……押えボルト
５８……駆動源
【図１】
0003823666.tif 000002
【図２】
0003823666.tif 000003
【図３】
0003823666.tif 000004
【図４】
0003823666.tif 000005
【図５】
0003823666.tif 000006
【図６】
0003823666.tif 000007
【図７】
0003823666.tif 000008
【図８】
0003823666.tif 000009
【図９】
0003823666.tif 000010